(57)【要約】【課題】  簡単な構成で効率的に被検者眼を観察及び撮影できる細隙灯顕微鏡を提供すること。【解決手段】  被検者眼を観察及び撮影するための細隙灯顕微鏡において、照明光源を備えて被検者眼にスリット照明光を投射するための照明光学系を有する主照明ユニットと、被検者眼を観察するための観察光学系と被検者眼を撮影するための撮影光学系とを有する顕微鏡ユニットと、前記主照明ユニット及び前記顕微鏡ユニットに対して被検者側に配置された，被検者の顔を支持する顔支持ユニットと、白色発光ダイオード又は赤色，緑色及び青色発光ダイオードを照明光源として備えて被検者眼を照明する補助照明ユニットと、  前記補助照明ユニットが先端に取り付けられ，他端が前記顔支持ユニットに取り付けられたフレキシブルアームと、を有すること。【選択図】      図１
2011177273.tif 000002
【特許請求の範囲】
【請求項１】
被検者眼を観察及び撮影するための細隙灯顕微鏡において、
照明光源を備えて被検者眼にスリット照明光を投射するための照明光学系を有する主照明ユニットと、
被検者眼を観察するための観察光学系と被検者眼を撮影するための撮影光学系とを有する顕微鏡ユニットと、
前記主照明ユニット及び前記顕微鏡ユニットに対して被検者側に配置された，被検者の顔を支持する顔支持ユニットと、
白色発光ダイオード又は赤色，緑色及び青色発光ダイオードを照明光源として備えて被検者眼を照明する補助照明ユニットと、
前記補助照明ユニットが先端に取り付けられ，他端が前記顔支持ユニットに取り付けられたフレキシブルアームと、
を有する、
ことを特徴とする細隙灯顕微鏡。
【請求項２】
請求項１の細隙灯顕微鏡において、
前記補助照明ユニットは、前記発光ダイオードの発光量を調節するためのスイッチ及び駆動回路を備える光量調節手段を有する、
ことを特徴とする細隙灯顕微鏡。
【請求項３】
請求項１又は２の細隙灯顕微鏡において、
前記補助照明ユニットは、白色発光ダイオードを照明光源として備え、前記白色発光ダイオードの前方に挿脱可能に配置された青色透過フィルタを備える、
ことを特徴とする細隙灯顕微鏡。
【請求項４】
請求項１〜３の何れかの細隙灯顕微鏡において、
前記補助照明ユニットは、固視灯を備える、
ことを特徴とする細隙灯顕微鏡。
【請求項５】
請求項４の細隙灯顕微鏡において、
前記固視灯は、その発光方向が前記発光ダイオードの発光方向とは逆方向である、
ことを特徴とする細隙灯顕微鏡。
【発明の詳細な説明】
【技術分野】
【０００１】
本発明は、被検者眼の前眼部等を観察及び撮影する細隙灯顕微鏡に関する。
【背景技術】
【０００２】
眼科の診察では、被検者眼の前眼部等を観察するために、スリットランプと呼ばれる細隙灯顕微鏡が使用されている。また、観察部位をカメラで撮影可能な細隙灯顕微鏡も提案されている（特許文献１参照）。特許文献１の装置では、スリット照明光で照明された観察部位以外の部位も撮影されることが好ましいとして、スリット照明光の投射ユニット（照明系）とは別の照明光（以下、周囲照明光）の投射ユニット（照明系）を備えている。
【先行技術文献】
【特許文献】
【０００３】
【特許文献１】特開平１１−１６９３４６号公報
【発明の開示】
【発明が解決しようとする課題】
【０００４】
しかしながら、特許文献１の実施形態１の装置は、スリット照明光を投射する照明ユニットと周囲照明光を投射する照明ユニットとの光源が共用されているため、両方の照明ユニットを使用する場合に備えて光源に大きな発光量のものが必要である。また、特許文献１の実施形態２の装置は、両方の照明ユニットに観察用のハロゲンランプ等の光源と撮影用のストロボ光源とを有しており、効率的ではない。
【０００５】
本発明は、上記従来技術の問題点に鑑み、簡単な構成で効率的に被検者眼を観察及び撮影できる細隙灯顕微鏡を提供することを技術課題とする。
【課題を解決するための手段】
【０００６】
上記課題を解決するために、本発明は、以下のような構成を有することを特徴とする。
（１）  被検者眼を観察及び撮影するための細隙灯顕微鏡において、照明光源を備えて被検者眼にスリット照明光を投射するための照明光学系を有する主照明ユニットと、被検者眼を観察するための観察光学系と被検者眼を撮影するための撮影光学系とを有する顕微鏡ユニットと、前記主照明ユニット及び前記顕微鏡ユニットに対して被検者側に配置された，被検者の顔を支持する顔支持ユニットと、白色発光ダイオード又は赤色，緑色及び青色発光ダイオードを照明光源として備えて被検者眼を照明する補助照明ユニットと、
前記補助照明ユニットが先端に取り付けられ，他端が前記顔支持ユニットに取り付けられたフレキシブルアームと、を有することを特徴とする。
（２）  （１）の細隙灯顕微鏡において、前記補助照明ユニットは、前記発光ダイオードの発光量を調節するためのスイッチ及び駆動回路を備える光量調節手段を有することを特徴とする。
（３）  （１）又は（２）の細隙灯顕微鏡において、前記補助照明ユニットは、白色発光ダイオードを照明光源として備え、前記白色発光ダイオードの前方に挿脱可能に配置された青色透過フィルタを備えることを特徴とする。
（４）  （１）〜（３）の何れかの細隙灯顕微鏡において、前記補助照明ユニットは、固視灯を備えることを特徴とする。
（５）  （４）の細隙灯顕微鏡において、前記固視灯は、その発光方向が前記発光ダイオードの発光方向とは逆方向であることを特徴とする。
【発明の効果】
【０００７】
本発明によれば、簡単な構成で効率的に被検者眼を観察及び撮影できる。
【発明を実施するための形態】
【０００８】
以下、本発明の実施の形態を図面に基づいて説明する。図１は、本発明の実施形態である細隙灯顕微鏡の概略外観図である。図２は、細隙灯顕微鏡の光学系及び制御系の概略構成図である。図３は、補助照明ユニットの概略構成図である。
【０００９】
細隙灯顕微鏡１は、移動ユニット４０と、顔支持ユニット５０と、主照明ユニット６０と、顕微鏡ユニット（観察・撮影ユニット）７０と、補助照明ユニット１００と、を備えている。
【００１０】
移動ユニット４０は、テーブル４１上で水平方向（前後左右方向）に摺動可能なスライドベース（摺動台）４２と、スライドベース４２を移動させるために検者の手に把持されて傾倒されるジョイスティック（操作棹）４３と、スライドベース４２から上方に略鉛直に延びるベースシャフト４４と、を備えている。なお、ジョイスティック４３を含むスライドベース４２の移動機構については、既知であるため、その説明は省略する。ジョイスティック４３の頂部には、写真撮影（画像取得）のトリガ信号を入力するためのスイッチ４３ａが設けられている。
【００１１】
ベースシャフト４４には、主照明ユニット６０を支持するアーム４６と、顕微鏡ユニット７０を支持するアーム４７と、がベースシャフト４４の中心軸Ａを中心に個々に水平方向に回転可能に支持されている。これにより、主照明ユニット６０及び顕微鏡ユニット７０は、中心軸Ａを中心に別個に回転できる。
【００１２】
顔支持ユニット５０は、ベースシャフト４４の上方に被検者の眼Ｅが位置するように被検者の顔（頭）を支持する。すなわち、顔支持ユニット５０は、主照明ユニット及び顕微鏡ユニットに対して被検者側に配置されている。顔支持ユニット５０は、被検者の額を支持する額当て５１と、被検者の顎を支持する顎台５２と、を備えており、２本の支柱５３でテーブル４１に固定されている。
【００１３】
額当て５１の上部（のアーチ部）には、フレキシブルアーム１０１の一端が取り付けられており、他端には補助照明ユニット１００が取り付けられている。補助照明ユニット１００は、照明部１１０と固視灯部１３０とが互いに逆方向を向くように備えられている。アーム１０１は、自由に動かす（曲げたり捻ったりする）ことができ、検者の所期する位置に照明部１１０及び固視灯部１３０を配置できる。アーム１０１は中空の部材であり、アーム１０１内には照明部１１０、固視灯部１３０、等に電力を供給するためのケーブル１０２が通されている。同様に、額当て５１及び支柱５３も中空の部材であり、ケーブル１０２は額当て５１及び支柱５３の各内部を通って図示を略す電力源に接続されている。
【００１４】
照明部１１０は、被検者眼Ｅを拡散光で連続的に照明する役割を持つ。詳細は後述するが、照明部１１０は、被検者眼Ｅの前眼部等の像の撮像に適した白色光（可視光）と、角膜等を染色する蛍光剤（蛍光色素）を励起するのに適した青色光と、を切換えて投射できる。固視灯部１３０は、被検者眼Ｅの固視を誘導する外部固視灯を備え、被検者眼Ｅに見易い光を投射して汎網膜光凝固等のレーザ手術の際に用いられる。操作部１２０は、ロータリスイッチをスイッチング手段として備え、スイッチの回転ノブが回転されることによって複数のスイッチング（切換え）を可能とする。操作部１２０を操作することにより、照明部１１０からの照明光の光量、色、等を調整でき、また、固視灯部１３０からの照明光の光量等を調整でき、照明部１１０及び固視灯部１３０の点灯／消灯を個々に切換えできる。
【００１５】
主照明ユニット６０において、ハロゲンランプ等の光源６１からの白色光（可視光）は、コンデンサレンズ６２を透過して可変アパーチャ６３及び可変スリット６４を照明する。アパーチャ６３及びスリット６４を通過した白色光は、投影レンズ６５を透過してプリズムミラー６６で反射され、被検者眼Ｅに投射される。このような構成により、照明光学系６０ａが成立する。
【００１６】
顕微鏡ユニット７０において、被検者眼Ｅで反射された白色光は、対物レンズ７１と変倍光学系７２とハーフミラー７３と結像レンズ７４とを透過し、正立プリズム７５で反射される。プリズム７５で反射された白色光は、視野絞り７６を通過して接眼レンズ７７を透過し、検者の眼Ｆに入射する。このような構成により、観察光学系７０ａが成立する。
【００１７】
被検者眼Ｅで反射されてハーフミラー７３で反射された白色光は、リレーレンズ７８を透過してカメラ８０に入射する。なお、図１では、カメラ８０の図示を略している。このような構成により、撮影光学系８０ａが成立する。
【００１８】
カメラ８０は、可視光に感度を持つＣＣＤを備えたデジタルカメラである。スイッチ４３ａが押されると、演算制御部８５は、スイッチ４３ａからの指令信号に基づいてカメラ８０によって撮像された画像を取り込み、モニタ８７に表示させる。また、演算制御部８５は、キーボード、マウス、等の操作部８８の操作によって画像の保存が選択されると、カメラ８０によって撮像された画像（モニタ８７に表示された画像）をメモリ８６に記憶させる。
【００１９】
照明部１１０、操作部１２０及び固視灯部１３０は、アーム１０１の先端に固定されたベース部材１０５に固定されている。照明部１１０は、白色光を投射する光源である白色発光ダイオード（ＬＥＤ）１１１と、青色光を投射する光源である青色ＬＥＤ１１２と、を備えており、ＬＥＤ１１１及び１１２の背面には反射板１１３が配置されており、前面には透明な保護板１１４が配置されている。なお、保護板１１４は、ＬＥＤ１１１及び１１２と反射板１１３とからの光を被検者眼Ｅの前眼部を含む範囲に照射するレンズの役割を兼ねる。ＬＥＤ１１１は、被検者眼Ｅを連続的に照明し、カメラ８０で虹彩を含む前眼部を撮影できる程度で、且つ、被検者眼Ｅに不快感（例えば、眩しさ）をできる限り与えないような程度の光量の白色光を発光する。ＬＥＤ１１２は、蛍光染料を励起発光させるためのものであり、本実施形態では、角膜を染色するフルオレセイン等の蛍光剤の励起波長に対応した青色光を発光する。ＬＥＤ１１１及び１１２は、ベース部材１０５に収められた駆動回路１２５に接続されている。このように、被検者の顔の付近に配置される照明部１１０の光源にＬＥＤを用いることにより、被検者の顔に熱の悪影響が及ぶことを抑制できる。
【００２０】
固視灯部１３０は、固視灯（固視光源）１３１と、固視灯１３１の保持部材１３２と、を備え、照明部１１０の反対側に配置されている。固視灯部１３０は、レーザ手術において患者が被治療眼（又は、被治療眼と反対側の眼）で固視するための外部固視灯を備えるものである。固視灯１３１は、被検者（患者）が視認可能な可視光（固視標光）を発光する。本実施形態では、固視灯１３１は、ＬＥＤ１１１及び１１２と同様にＬＥＤであり、例えば、暗室でも視認し易い光量及び色（黄色、白色、等）の光を発光するＬＥＤである。固視灯１３１は、駆動回路１２５に接続されている。
【００２１】
操作部１２０は、照明部１１０の発光を調整するスイッチ１２１と、固視灯部１３０の発光を調整するスイッチ１２３と、を備える。スイッチ１２１及び１２３はロータリスイッチとされている。スイッチ１２１は、ベース部材１０５の外周部に配置されており、検者が指で回転させるノブ１２１ａと、ノブ１２１ａの回転を読み取り信号を出力するエンコーダ１２１ｂと、を備える。同様に、スイッチ１２３は、ノブ１２３ａとエンコーダ１２３ｂとを備える。スイッチ１２１及び１２３は、駆動回路１２５に接続されている。駆動回路１２５は、スイッチ１２１からの信号に基づいてＬＥＤ１１１及び１１２の発光等を制御する。また、駆動回路１２５は、スイッチ１２３からの信号に基づいて固視灯１３１の発光等を制御する。本実施形態では、ケーブル１０２を介して供給される電力を駆動回路１２５で制御し、ＬＥＤ１１１に流れる電流量を制御することにより、白色光の光量を調節する。また、ＬＥＤ１１２に流れる電流量を制御することにより、青色光の光量を調節する。また、固視灯１３１に流れる電流量を制御することにより、固視標光の光量を調節する。ノブ１２１ａが初期位置から回転されると、ＬＥＤ１１１が点灯され、さらにノブ１２１ａが回転されると、回転量の増加に応じてＬＥＤ１１１の発光量が増加される。さらにノブ１２１ａが中間位置まで回転されると、ＬＥＤ１１１が消灯され、ＬＥＤ１１２が点灯される。さらにノブ１２１ａが回転されると、回転量の増加に応じてＬＥＤ１１２の発光量が増加される。一方、ノブ１２３ａが初期位置から回転されると、固視灯１３１が点灯され、さらにノブ１２３ａが回転されると、回転量の増加に応じて固視灯１３１の発光量が増加される。
【００２２】
なお、スイッチ１２１は、固視灯部１３０側に配置されており、スイッチ１２３は、照明部１１０側に配置されている。これにより、照明部１１０及び固視灯部１３０の操作を行い易くできる。例えば、照明部１１０を被検者眼Ｅに向けた状態で照明部１１０の発光量を調節する場合、検者は手前に位置するスイッチ１２１を操作すればよい。また、ＬＥＤ１１１及び１１２並びに固視灯１３１の発光量を駆動回路１２５による電流量の制御によって調節することにより、電力を効率的に利用でき、消費電力を抑制できる。
【００２３】
以上のような構成により、簡単な構成で効率的に被検者眼Ｅを観察及び撮影できる。特に、写真撮影（画像取得）において、角膜、水晶体、等のスリット像を含む前眼部像を得ることができるため、スリット撮影位置の位置を確認し易い。また、蛍光剤で染色された角膜を主照明ユニット６０を用いることなく観察できる。
【００２４】
また、補助照明ユニット１００の発光量を電流量等の制御によって調節することにより、効率的な照明ができる。また、顔支持ユニット５０の周辺に補助照明ユニット１００を配置することにより、照明光の伝送効率を低下することなく、被検者眼Ｅを照明できる。また、補助照明ユニット１００に照明部１１０及び固視灯部１３０が設けられていることにより、顔支持ユニット５０の周辺にスペースを確保でき、被検者眼Ｅの観察や手術において検者（術者）がスムーズに作業できる。
【００２５】
なお、以上の実施形態では、照明部１１０と固視灯部１３０とが両者の投射方向が互いに逆方向を向くように設けられているものとしたが、照明部と固視灯部とが両者の投射方向が互いに同方向を向くように設けられていてもよい。また、照明部と固視灯部とが個別に（別個のアーム１０１を介して）顔支持ユニット５０（額当て５１）に取り付けられていてもよい。
【００２６】
また、以上の実施形態では、補助照明ユニット１００がアーム１０１を介して額当て５１に取り付けられているものとしたが、被検者の顔の付近に配置されることができると共に被検者眼の観察及び撮影の邪魔になり難い位置に配置されることができればよく、顎台５２、支柱５３、等の顔支持ユニット５０の一部にアーム１０１を介して取り付けられていればよい。
【００２７】
また、以上の実施形態では、白色ＬＥＤに加えて青色ＬＥＤが備えられているものとしたが、白色ＬＥＤの前方（投射方向）に白色光の青色成分のみを透過する青色透過フィルタが挿脱可能に配置されていてもよい。この場合、青色ＬＥＤは無くてもよい。
【００２８】
また、以上の実施形態では、照明部１１０に白色ＬＥＤ及び青色ＬＥＤが備えられているものとしたが、白色ＬＥＤ及び青色ＬＥＤの代わりに赤色ＬＥＤ、緑色ＬＥＤ及び青色ＬＥＤが備えられ、各ＬＥＤの発光量が調整可能にされていてもよい。これにより、被検者眼に白色光も青色光も投射できる
【図面の簡単な説明】
【００２９】
【図１】本発明の実施形態である細隙灯顕微鏡の概略外観図である。
【図２】細隙灯顕微鏡の光学系及び制御系の概略構成図である。
【図３】補助照明ユニットの概略構成図である
【符号の説明】
【００３０】
１  細隙灯顕微鏡
４０  移動ユニット
５０  顔支持ユニット
６０  主照明ユニット
７０  顕微鏡ユニット
８０  カメラ
１００  補助照明ユニット
１０１  フレキシブルアーム
１１０  照明部
１３０  固視灯部
【図１】
2011177273.tif 000003
【図２】
2011177273.tif 000004
【図３】
2011177273.tif 000005